(57)【要約】      （修正有）【課題】日常的に電気療法によって身体を調整できる携帯型電位治療器を提供する。【解決手段】携帯型電位治療器は、球殻１と、球殻１に内設される電位治療器本体と、給電ユニットと、を備えている。球殻１の外側には第一パターン１１及び第二パターン１２が設けられ、第一パターン１１及び第二パターン１２の下方には第一挿入孔１３及び第二挿入孔１４がそれぞれ設けられている。電位治療器本体は給電ユニットに電気的に接続され、且つ第一電力出力端及び第二電力出力端を有する。第一電力出力端から第一理学療法電気エネルギーを出力し、第二電力出力端から第二理学療法電気エネルギーを出力する。第一理学療法電気エネルギー及び第二理学療法電気エネルギーの電源パラメータは異なり、且つ第一電力出力端は第一挿入孔１３に設けられ、第二電力出力端は第二挿入孔１４に設けられている。【選択図】図１
0003227912.tif 000002
【実用新案登録請求の範囲】
【請求項１】
球殻を有する携帯型電位治療器であって、前記球殻には電位治療器本体及び給電ユニットが内設され、前記球殻の外側には第一パターン及び第二パターンが設けられ、前記第一パターン及び前記第二パターンの下方には第一挿入孔及び第二挿入孔がそれぞれ設けられ、前記電位治療器本体は前記給電ユニットに電気的に接続され、且つ前記電位治療器本体は第一電力出力端及び第二電力出力端を有し、前記第一電力出力端から第一理学療法電気エネルギーを出力し、前記第二電力出力端から第二理学療法電気エネルギーを出力し、前記第一理学療法電気エネルギーと前記第二理学療法電気エネルギーの電源パラメータは異なり、且つ前記第一電力出力端は前記第一挿入孔に設けられ、前記第二電力出力端は前記第二挿入孔に設けられることを特徴とする携帯型電位治療器。
【請求項２】
前記球殻の外側には、操作することで強度設定信号を発生する強度設定ボタンが設けられ、前記電位治療器本体は前記強度設定信号に基づいて各理学療法電気エネルギーの電圧値を決定することを特徴とする請求項１に記載の携帯型電位治療器。
【請求項３】
前記第一パターン及び前記第二パターンの後側には前記電位治療器本体にそれぞれ電気的に接続される第一発光ユニット及び第二発光ユニットがそれぞれ設けられ、前記第一電力出力端又は前記第二電力出力端から前記第一理学療法電気エネルギー又は前記第二理学療法電気エネルギーを出力すると、前記電位治療器本体が対応する前記第一発光ユニット又は前記第二発光ユニットを作動するように制御することを特徴とする請求項２に記載の携帯型電位治療器。
【請求項４】
前記球殻の外側には、操作することで時間設定信号を発生する時間設定ボタンが設けられ、前記電位治療器本体は前記時間設定信号に基づいて前記第一電力出力端又は前記第二電力出力端から出力する理学療法電気エネルギーの持続時間を決定することを特徴とする請求項３に記載の携帯型電位治療器。
【請求項５】
前記電位治療器本体は第三電力出力端を備え、前記球殻の外側には入力キー及び第三挿入孔が設けられ、前記第三電力出力端は前記第三挿入孔に設けられ、前記入力キーは身体情報の入力に用いられ、前記電位治療器本体は前記身体情報に基づいて第三理学療法電気エネルギーの持続時間及び電圧値を決定し、且つ前記第三電力出力端から出力する前記第三理学療法電気エネルギーを制御することを特徴とする請求項４に記載の携帯型電位治療器。
【考案の詳細な説明】
【技術分野】
【０００１】
本考案は、携帯型電位治療器に関し、より詳しくは、理学療法ユニットに理学療法電気エネルギーを供給する電位治療器に関する。
【背景技術】
【０００２】
現代人は生活が忙しい、仕事上でのストレスが大きい、良質な睡眠が得られない、肩と首が凝る、便秘になる等の問題を抱えている。これらの問題は日中の仕事や生活の質にも影響を及ぼしている。また、現代人は大きなストレスを抱えている上に生活形態も変化しており、食事が肉食化する傾向にある。これも体内の陽イオンの増加に繋がり、血液が酸性へと傾き、身体に慢性疾患を患う人が増えている。このような問題のために、現代人は健康管理に注意するようになっている。
【０００３】
研究や実験から、電位療法により上述の問題を改善できることが分かっている。電位療法は主に微小電流を体内に流し、陰イオンを体内に供給することで、体内の陽イオンと陰イオンを中和し、身体の水素イオン濃度を弱アルカリ性体質に徐々に近づけることができる。これにより、前述の身体の各問題が発生しにくくなる。
【考案の概要】
【考案が解決しようとする課題】
【０００４】
しかしながら、前述の従来技術では、機器が大きすぎる上に操作も複雑であった。本案の機器は小さく、多様な理学療法モードをプリセットしており、使用者が便利に使用可能となる。
【０００５】
そこで、本考案者は、誰でも携帯しやすい電位療法の機械の補助により、忙しい日常生活や仕事の合間の短い時間でも日常的に電位療法によって身体を調整することができれば、前述の各現代病も改善できると考えた。
【０００６】
本考案は、このような従来の問題に鑑みてなされたものである。上記の課題解決のため、本考案は、携帯型電位治療器を提供することを主目的とする。
【課題を解決するための手段】
【０００７】
上記の目的を達成するための主たる考案は、球殻を有する携帯型電位治療器であって、前記球殻には電位治療器本体及び給電ユニットが内設され、前記球殻の外側には第一パターン及び第二パターンが設けられ、前記第一パターン及び前記第二パターンの下方には第一挿入孔及び第二挿入孔がそれぞれ設けられ、前記電位治療器本体は前記給電ユニットに電気的に接続され、且つ前記電位治療器本体は第一電力出力端及び第二電力出力端を有し、前記第一電力出力端から第一理学療法電気エネルギーを出力し、前記第二電力出力端から第二理学療法電気エネルギーを出力し、前記第一理学療法電気エネルギーと前記第二理学療法電気エネルギーの電源パラメータは異なり、且つ前記第一電力出力端は前記第一挿入孔に設けられ、前記第二電力出力端は前記第二挿入孔に設けられることを特徴とする携帯型電位治療器である。
【考案の効果】
【０００８】
本考案によれば、使用者はいつでもどこでも自分の身体の状態に応じて、前記理学療法ユニットのプラグを前記第一挿入孔又は前記第二挿入孔に選択的に挿入し、前記理学療法ユニットを利用して身体を効果的に調整し、体内の水素イオン濃度のバランスを調整することができ、現代病の発症率が低下する。このほか、前記第一パターン及び前記第二パターンの態様により、使用者は各挿入孔の効果を明確に知ることが可能となり、前記理学療法ユニットは最大の効果を発揮する。
【図面の簡単な説明】
【０００９】
【図１】本考案に係る携帯型電位治療器を示す外観斜視図である。
【図２】本考案に係る携帯型電位治療器を示す正面図である。
【図３】本考案に係る携帯型電位治療器を示す側面図である。
【図４】本考案に係る携帯型電位治療器を示す底面図である。
【図５】本考案の理学療法ユニットの一実施形態を示す。
【図６】本考案の各素子の接続を示す概略図である。
【図７】本考案のリモコンを示す概略図である。
【図８】本考案のマットレスの層状構造を示す概略図である。
【考案を実施するための形態】
【００１０】
以下、本考案の実施形態について、図面を参照して詳細に説明する。なお、本考案は以下の例に限定されるものではなく、本考案の趣旨を逸脱しない範囲で、任意に変更可能であることは言うまでもない。
【００１１】
本明細書及び図面の記載により、少なくとも、以下の事項が明らかとなる。
【００１２】
本考案に係る携帯型電位治療器は、球殻１と、前記球殻１に内設される電位治療器本体２と、給電ユニット３（例えば、電池、蓄電池）と、を備えている。前記球殻１の外側には第一パターン１１及び第二パターン１２が設けられ、前記第一パターン１１及び前記第二パターン１２の下方には第一挿入孔１３及び第二挿入孔１４がそれぞれ設けられている。前記電位治療器本体２は前記給電ユニット３に電気的に接続され、且つ第一電力出力端２１及び第二電力出力端２２を有する。前記第一電力出力端２１から第一理学療法電気エネルギーを出力し、前記第二電力出力端２２から第二理学療法電気エネルギーを出力する。前記第一理学療法電気エネルギー及び前記第二理学療法電気エネルギーの電源パラメータ（例えば、出力周波数、出力電圧値、持続時間等）は異なり、且つ前記第一電力出力端２１は前記第一挿入孔１３に設けられ、前記第二電力出力端２２は前記第二挿入孔１４に設けられている。また、図４を参照すると、前記給電ユニット３が電池である場合、前記球殻１底部のカバー１１１を回した後に交換及び取り付けを行う。
【００１３】
ちなみに、本明細書を例にとると、前記第一パターン及び前記第二パターンは、好ましくはそれぞれ人体の器官であり、例えば、第一パターン１１が人の顔を表す場合、前記第一電力出力端２１から出力する前記第一理学療法電気エネルギーを人体の頭部に使用することが最適であり、よって、前記理学療法ユニットＡのプラグを前記第一挿入孔１３に挿入した後、前記理学療法ユニットＡを人体の頭部に取り付けると最良の理学療法効果が得られる。また、前記第二パターン１２が人体の肘のパターンを表す場合、前記第二電力出力端２２から出力する前記第二理学療法電気エネルギーを人体の肘部分に使用することが最適であり、よって、前記理学療法ユニットＡのプラグを前記第二挿入孔１４に挿入した後、前記理学療法ユニットＡを前記人体の肘部分に取り付けると最良の理学療法効果が得られる。このように、使用者は便利に自分のニーズ又は調整したい身体の部位に応じて、前記理学療法ユニットＡのプラグを対応する挿入孔内に挿入し、効果的な理学療法効果を得ることができる。
【００１４】
また、上述の前記第一理学療法電気エネルギーの出力方式は、まず300V（出力強度を指す）の理学療法電気エネルギーを１分間出力した後、500V（出力強度を指す）の前記理学療法電気エネルギーを１分間出力し、これを連続サイクルで行う。前記第二理学療法電気エネルギーの出力方式は、まず500V（出力強度を指す）の理学療法電気エネルギーを１分間出力した後、800V（出力強度を指す）の理学療法電気エネルギーを１分間出力し、同様に連続サイクルで行う。前述の各理学療法電気エネルギーの出力方式は一例にすぎず、審査官及び公衆に対し各理学療法電気エネルギーの出力方式について明確に理解させるためのものである。また、本考案の挿入孔は、前記第一挿入孔１３及び前記第二挿入孔１４に限らず、図示するように、身体の部位の違いに応じて対応する複数の挿入孔及びパターンを有し、各挿入孔には対応する理学療法電気エネルギーを出力するための電力出力端をそれぞれ備えている。
【００１５】
本考案の主な特徴は以下の通りである。
（１）使用者はいつでもどこでも自分の身体の状態に応じて、前記理学療法ユニットＡのプラグを前記第一挿入孔１３又は前記第二挿入孔１４に選択的に挿入し、前記理学療法ユニットＡにより身体を効果的に調整し、体内の水素イオン濃度のバランスを調整し、現代病の発症率を低下させることができる。
（２）調整したい身体の部位に応じて対応するパターンを選択した後、前記理学療法ユニットＡのプラグを対応する前記パターンの挿入孔内に挿入することで、使用者は複雑な設定を行う必要がなく、前記身体の部位に最良の理学療法効果を得ることができる。
【００１６】
図１と図２を参照すると、上述の各種理学療法電気エネルギーの出力設定方式は大多数の人に適合するが、他の少数の人も好ましい理学療法効果が得られるようにするため、本考案は更に前記球殻１の外側に、操作することで強度設定信号を発生する強度設定ボタン１５を設け、前記電位治療器本体２は前記強度設定信号に基づいて各理学療法電気エネルギーの電圧値を決定する。これにより、使用者は自分の身体の状態の違いに応じて、前記強度設定ボタン１５により強度を調整可能となる。図中の前記強度設定ボタン１５の数量は好ましくは２つであり、そのうちの１つの強度設定ボタン１５Ａは主に強度を上に調整するためのものであり、もう１つの強度設定ボタン１５Ｂは強度を下に調整するためのものである。
【００１７】
図６に示すように、前記理学療法ユニットＡを接続する挿入孔からどの理学療法電気エネルギーを出力しているかを使用者が一目で分かるようにするため、本考案では更に前記第一パターン１１及び前記第二パターン１２の後側に第一発光ユニット１６及び第二発光ユニット１７をそれぞれ設置し、前記第一発光ユニット１６及び第二発光ユニット１７は前記電位治療器本体２にそれぞれ電気的に接続される。前記第一電力出力端２１又は前記第二電力出力端２２から前記第一理学療法電気エネルギー又は前記第二理学療法電気エネルギーを出力すると、前記電位治療器本体２が対応する前記第一発光ユニット１６又は前記第二発光ユニット１７を作動するように制御する。
【００１８】
図６に示すように、前記理学療法ユニットＡの連続使用時間が長くなりすぎて人体に被害を与えないようにするため、本考案では時間設定機能を更に提供する。その実施方式は以下の通りである。前記球殻１の外側には、操作することで時間設定信号を発生する時間設定ボタン１８が設けられ、前記電位治療器本体２は前記時間設定信号に基づいて前記第一電力出力端２１又は前記第二電力出力端２２から出力する理学療法電気エネルギーの持続時間を決定する。また、制限は図示の表現方式に限定され、図１〜４には前記時間設定ボタン１８を描写していない。
【００１９】
なお、図６を参照すると、本考案が出力する理学療法電気エネルギーは、上述のプリセット方式以外にも、更に使用者の性別、年齢、身長、体重等の身体情報に基づいて、前記電位治療器本体２は第三電力出力端２３を備え、前記球殻１の外側には入力キー１９及び第三挿入孔１０が設けられ、前記第三電力出力端２３は前記第三挿入孔１０に設けられ、前記入力キー１９は身体情報の入力に用いられる。前記電位治療器本体２は、前記身体情報に基づいて第三理学療法電気エネルギーの持続時間及び電圧値を決定し、且つ前記第三電力出力端２３から前記第三理学療法電気エネルギーを出力するように制御する。
【００２０】
また、リモコン関連機能の実施態様について図７を参照しながら説明する。まず、本考案は前記電位治療器本体２に信号受信機２４を更に設置する。リモコン４が更に設けられ、前記リモコン４の外側には、操作することで前記信号受信機２４に対して時間設定信号又は強度設定信号を発信するリモコンボタンセット４１が設けられている。これにより、前記電位治療器本体２は受信した信号に基づいて対応する動作を実行し、本考案はリモートコントロール機能を有する。また、暗い又は視線が妨げられる等の環境要因により前記リモコン４を使用しにくくなったり、探しにくくなる事態を避けるため、前記リモコンボタンセット４１の複数のボタンは好ましくは夜光材質で製造される。
【００２１】
図６に示すように、前記リモコン４は上述のリモートコントロール機能以外に、前記理学療法電気エネルギーが前記理学療法ユニットＡに入力されたか否かを検知するための検電機能を更に有する。その実施方式は、前記リモコン４の表面に提示ユニットが設けられ、前記リモコン４に理学療法電気エネルギー検知ユニットが内設され、前記理学療法電気エネルギー検知ユニットは前記理学療法電気エネルギーを検知すると、前記提示ユニットが作動するように制御する。本明細書を例にとると、前記提示ユニットは前記リモコン４に設けられる表示部４２がフラッシュ方式、文字表示方式等で表示することで、使用者に前記理学療法ユニットＡのオンとオフの状態を提示することができる。
【００２２】
なお、前記理学療法ユニットＡの実施態様について図８を参照しながら説明する。まず、前記理学療法ユニットＡはマットレス、クッション等のマットであり、本明細書では、クッションを好ましい例として、本考案の使用態様及び利点について説明する。その実施方式は次の通りである。前記理学療法ユニットＡは理学療法ユニット本体Ａ２が内設されるクッションＡ１を備え、前記理学療法ユニット本体Ａ２は前記出力端に電気的に接続可能である。これにより、前記理学療法ユニットＡをクッションとして実施することで、使用者が仕事中にも身体を調整するための十分な理学療法効果が得られるようになる。
【００２３】
再度図８を参照されたい。本考案の好ましいクッション機能を発揮し、使用者が好ましい理学療法効果を得ることに加えて快適な座り心地を得られるようにするため、本考案は更に前記理学療法ユニット本体Ａ２を電位布として実施し、前記電位布の両側に内から外にかけて第一布層Ａ３、第二布層Ａ４、第三布層Ａ５、及び第四布層Ａ６を順に設けている。前記第一布層Ａ３の材質は不織布であり、前記第二布層Ａ４の材質は発泡材であり、前記第三布層Ａ５の材質は綿セルロース繊維であり、前記第四布層Ａ６の材質は綿と綿織物の混紡である。また、前記第四布層Ａ６の混合比率は好ましくは綿35%、綿織物65%である。
【００２４】
図５を参照すると、前記理学療法ユニットＡは、上述のマットの実施態様に加えて、美容関連の装置でもよい。その実施方式は、グリップ部Ａ７を備え、前記グリップ部Ａ７の一端にはフォーク部Ａ７１を設け、前記フォーク部Ａ７１の自由端には２つの理学療法ボールＡ７２をそれぞれ設けている。前記グリップ部Ａ７には導電線Ａ７３を内設し、前記導電線Ａ７３の一端は各理学療法ボールＡ７２にそれぞれ電気的に接続され、他端は前記グリップ部Ａ７の他端から露出し、前記電位治療器本体１に電気的に接続される。これにより、前記電位治療器本体１が前記理学療法ボールＡ７２を作動するように駆動させて理学療法電気エネルギーを放出する。使用者は前記グリップ部Ａ７を握って前記理学療法ボールＡ７２を身体の任意の各部位に接触させることで、理学療法効果及び身体の調整効果を達成する。
【００２５】
これ以外にも、各理学療法ボールＡ７２がマッサージ効果を兼ね備えるようにするため、前記フォーク部Ａ７１は、好ましくは、前記フォーク部Ａ７１の自由端に２つの窪みをそれぞれ設け、各窪みの内側壁には各理学療法ボールＡ７２の外輪郭に適合する空間を規定する。各理学療法ボールＡ７２は各窪みに内設され、且つ一部は各窪みから露出する。これにより、各理学療法ボールを人体の皮膚に接触させた後、押すことによって各理学療法ボールが回転し、マッサージ効果を達成する。
【００２６】
なお、マッサージ効果を更に達成するため、前記グリップ部Ａ７は振動ユニットを内設し、且つ前記振動ユニットは前記導電線Ａ７３の一端に電気的に接続される。前記グリップ部Ａ７の外側には操作ユニットを設置し、前記操作ユニットを操作することで、前記振動ユニットのオンとオフを制御する。これにより、各理学療法ボールＡ７２は、回転によるマッサージ効果を達成する以外に、振動によるマッサージ効果も有する。
【００２７】
以下、本考案の使用状況について図１、図５及び図８を参照しながら説明する。使用者は通勤前に、前記球殻１、クッションＡ１（例えば、クッション、肩首クッション）、グリップ部Ａ７等を鞄に入れ、仕事中にクッションを椅子の上に敷き、前記球殻１を取り出して、人体の臀部に対応するパターンを探す。次いで、クッションの電源入力端を前記パターン下方の挿入孔に挿入し、仕事をしながら身体を調整する。肩首に問題がある人は、肩首クッションを頸部に載せ、同様に人体の頸部に対応するパターンを探し、肩首クッションの電源入力端を対応する挿入孔に挿入するのみでよい。午後の休憩時に前記グリップ部Ａ７を手で持ち、前記理学療法ボールＡ７２を使用して身体の疼痛部位の調整を行うこともできる。
【００２８】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２９】
１      球殻
１１    第一パターン
１１１  カバー
１２    第二パターン
１３    第一挿入孔
１４    第二挿入孔
１５    強度設定ボタン
１５Ａ  強度設定ボタン
１５Ｂ  強度設定ボタン
１６    第一発光ユニット
１７    第二発光ユニット
１８    時間設定ボタン
１９    入力キー
１０    第三挿入孔
２      電位治療器
２１    第一電力出力端
２２    第二電力出力端
２３    第三電力出力端
３      給電ユニット
４      リモコン
４１    リモコンボタンセット
４２    表示部
Ａ      理学療法ユニット
Ａ１    クッション
Ａ２    理学療法ユニット本体
Ａ３    第一布層
Ａ４    第二布層
Ａ５    第三布層
Ａ６    第四布層
Ａ７    グリップ部
Ａ７１  フォーク部
Ａ７２  理学療法ボール
Ａ７３  導電線
【図１】
0003227912.tif 000003
【図２】
0003227912.tif 000004
【図３】
0003227912.tif 000005
【図４】
0003227912.tif 000006
【図５】
0003227912.tif 000007
【図６】
0003227912.tif 000008
【図７】
0003227912.tif 000009
【図８】
0003227912.tif 000010